(57)【特許請求の範囲】
【請求項１】
磁気テープを所定の速度で移送させるキャプスタンモータと、キャプスタンモータの回転動作によって所定値を持つパルス信号を発生するキャプスタンモータ周波数発生器と、リールの回転状態を感知するリール感知部及び貯蔵媒体を備えてキャプスタンモータの回転動作を制御すると共に、リール感知部とキャプスタンモータ周波数発生器を通してリールの１回転当たりのキャプスタンモータ周波数発生器の出力パルス数を検出して、磁気テープの現在位置を感知するマイクロプロセッサを備えるビデオカセットレコーダーの不連続走行時の磁気テープ位置感知方法において、
前記キャプスタンモータの周波数発生器から発生した出力パルスを所定個数単位で検出する第１過程と、
前記キャプスタンモータの回転方向をチェックして、リールが１回転する間に前記キャプスタンモータの回転方向によって貯蔵されたキャプスタンモータ周波数発生器の出力パルス数と、検出された所定個数のキャプスタンモータ周波数発生器の出力パルス数を加減演算する第２過程と、
前記第２過程を通して演算されたキャプスタンモータ周波数発生器の出力パルス数によって磁気テープの現在位置を計算する第３過程よりなる不連続走行時の磁気テープの位置感知方法。
【請求項２】
前記第２過程は、
前記キャプスタンモータの回転方向をチェックする第１段階と、
前記キャプスタンモータの現在の回転方向が初期の回転方向と同一すると前記貯蔵媒体に貯蔵されたキャプスタンモータ周波数発生器の出力パルス数と検出されたキャプスタンモータの周波数発生器の出力パルス数を加算し、前記キャプスタンモータの現在の回転方向が初期の回転方向と相異すると前記貯蔵媒体に貯蔵されたキャプスタンモータ周波数発生器の出力パルス数から検出されたキャプスタンモータ周波数発生器の出力パルス数を減算する第２段階とよりなることを特徴とする請求項１に記載の不連続走行時の磁気テープの位置感知方法。
【請求項３】
前記第３過程は、
リールが１回転する間第１及び第２過程を反復実行して、リールが１回転した時に貯蔵されたキャプスタンモータ周波数発生器の出力パルス数を前記貯蔵媒体から検出する段階と、
前記貯蔵媒体から検出されたキャプスタンモータ周波数発生器の出力パルス数を利用して磁気テープの現在位置を検出する段階とよりなることを特徴とする請求項１に記載の不連続走行時の磁気テープの位置感知方法。
【発明の詳細な説明】
【０００１】
【発明の属する技術分野】
本発明は不連続走行時の磁気テープの位置感知方法に係り、より詳細にはスタート及びエンドセンサを除去したビデオカセットレコーダー（ＶＣＲ）において、極めて短い時間の間隔を周期として磁気テープが不連続的に走行する場合にも磁気テープの現在の位置を把握できるようにした不連続走行時の磁気テープの位置感知方法に関するものである。
【０００２】
【従来の技術】
センサを用いて磁気テープのスタート／エンド（Start/End ）部分を感知するようにした従来のビデオカセットレコーダーについて図１を参照して説明すると次のとおりである。
即ち、デッキの所定位置に発光素子１が突出装着されて、この発光素子１から発光される光信号（光り）を受光できるようにデッキの左右側に一対の受光素子即ち、スタート及びエンドセンサ２，３が装着されている。
【０００３】
また、通常のホームビデオシステム（ＶＨＳ）規格の磁気テープには図２に示すように、各種の情報を記録できるように磁化物質が塗布された不透明な磁化領域と、磁気テープのスタート及びエンド部分に所定の長さ（略２メートル）を持つ透明なリード領域に分割されている。
このような構成を持つ通常のビデオカセットレコーダーにおいて、磁気テープのスタート部分とエンド部分を感知する過程は次のとおりである。
【０００４】
磁気テープが走行されると、一対の受光素子２，３は磁気テープの磁化領域とリード領域によって各々相異な信号を検出する。即ち、磁気テープが磁化領域に位置するようになると、発光素子１から出力された光信号は、磁気テープに塗布された不透明な磁化物質により遮断され受光素子２，３に伝達されない。これによって、受光素子２，３はターンオフされ磁気テープの走行状態を制御する制御手段に磁気テープの走行制御信号を出力する。したがって、磁気テープは正常に走行される。
【０００５】
一方、磁気テープがリード領域に位置するようになると、発光素子１から出力された光信号は磁気テープの透明なリード領域を通過して受光素子２，３に伝達される。これによって、受光素子２，３はターンオンされ制御手段に磁気テープの停止制御信号を出力する。したがって、磁気テープは停止される。
前述のように、センサを用いて磁気テープの現在の位置を感知する従来の方法は、米国特許公報第５，２２９，８９８号（１９９３，７，２０）に詳細に記述されている。
【０００６】
【発明が解決しようとする課題】
しかし、前述の従来の磁気テープ位置感知方法は、一つの発光素子と少なくとも二つ以上の受光素子を具備しなければならないため、製品の生産単価が上昇する問題点があった。
また、前述の発光素子はデッキの略中央部位に突出装着されて、受光素子はデッキの側面に別途の印刷回路基板を利用して装着するようになるため、発光素子及び受光素子の取付位置によりデッキの組立工程が複雑になって、作業能率が低下する問題点があった。
【０００７】
また、受光素子が外部光により誤動作することを防止するために、別のケース内に収納しなければならないので、このような別途のケースをデッキ内に装着するためには別の余裕空間が必要になるため、ビデオカセットレコーダーの小型化を実現することが困難である問題点があった。
結局、前述の問題点を解決するためには発光素子及び受光素子を除去することが効果的であり、ビデオカセットレコーダーは発光素子及び受光素子が除去された状態でも磁気テープの現在位置を正確に感知できなければならない。このため、発光素子及び受光素子が除去された状態でソフトウェアを用いて磁気テープの現在位置を感知する方法が提案された。
【０００８】
即ち、ソフトウェアを利用した磁気テープの現在位置感知方法は、ビデオカセットレコーダーに装着された供給リールと巻取リール及び磁気テープを所定の速度で移送させるキャプスタンモータの回転量を用いた方式で、マイクロプロセッサ（図示せず）は各々のリールが１回転する間キャプスタンモータ周波数発生器（以下、“ＣＦＧ”と略称する）から発生されるＣＦＧの出力パルス数（以下、“ＣＦＧパルス数”と略称する）をカウントして磁気テープの現在位置を計算する。
【０００９】
より詳細に説明すると、磁気テープの走行速度は常に一定なのでこれと対応するキャプスタンモータの回転速度も常に同一である。しかし、リールは磁気テープが多く巻かれた場合には低速回転し、磁気テープが少量巻かれた場合には高速回転する。つまり、磁気テープが多く巻かれたリールの１回転当たりのＣＦＧパルス数は磁気テープが少量巻かれたリールの１回転当たりのＣＦＧパルス数より高い値を持ち、磁気テープのエンド部分に到達すると磁気テープが多く巻かれたリールの１回転当たりのＣＦＧパルス数は最大値を持つ。したがって、磁気テープの現在位置に対するリールの１回転当たりのＣＦＧパルス数データを標本化してリールの１回転当たりのＣＦＧパルス数を検出することにより、磁気テープの現在位置を把握できるようになる。
【００１０】
そこで、前述のような場合、磁気テープの現在位置を把握するためには少なくとも磁気テープがリールの１回転分量以上に走行されなければならないが、使用者のモード変換要求に応じて磁気テープの走行量がリールの１回転分量以下でビデオカセットレコーダーのモードが変換される不連続走行状態である場合即ち、再生機能またはその外の走行機能と停止機能がリールの１回転分量以下に反復動作される場合には前述のようなリールの１回転当たりのＣＦＧパルス数を正常に検出できないため、磁気テープの現在位置を感知することが不可能になる問題点があった。
【００１１】
さらに、磁気テープの現在位置を感知することが不可能であることにより、磁気テープがエンド部分に近接到達したにもかかわらず、リールモータの回転速度が減速されずに結局、磁気テープに無理な力が加わって磁気テープが伸張または断絶される等の問題点が生じる。
したがって、本発明は、前述の問題点を解決すべくなされたもので、本発明の目的は、発光素子及び受光素子を除去したビデオカセットレコーダーにおいて、短かい時間の間隔でモードが変換するビデオカセットレコーダーの不連続走行時にも磁気テープの現在の位置を正確に把握できるようにした不連続走行時の磁気テープの位置感知方法を提供することにある。
【００１２】
【課題を解決するための手段】
前述のような目的を達成するための本発明の特徴は、磁気テープを所定の速度で移送させるキャプスタンモータと、キャプスタンモータの回転動作によって所定値を持つパルス信号を発生するキャプスタンモータ周波数発生器と、リールの回転状態を感知するリール感知部及び貯蔵媒体を具備してキャプスタンモータの回転動作を制御すると共に、リール感知部とキャプスタンモータ周波数発生器を通してリールの１回転当たりのキャプスタンモータ周波数発生器の出力パルス数を検出して磁気テープの現在位置を感知するマイクロプロセッサを備えたビデオカセットレコーダーの不連続走行時の磁気テープ位置感知方法において、
前記キャプスタンモータの周波数発生器から発生した出力パルスを所定個数単位で検出する第１過程と、前記キャプスタンモータの回転方向をチェックして、リールが１回転する間前記キャプスタンモータの回転方向によって貯蔵されたキャプスタンモータ周波数発生器の出力パルス数と検出された所定個数のキャプスタンモータ周波数発生器の出力パルス数を加減演算する第２過程と、前記第２過程を通して演算されたキャプスタンモータ周波数発生器の出力パルス数によって磁気テープの現在位置を計算する第３過程とよりなる不連続走行時の磁気テープの位置感知方法にある。
【００１３】
前述の本発明の特徴において、前述の第２過程は、キャプスタンモータの回転方向をチェックする第１段階と、キャプスタンモータの現在の回転方向が初期回転方向と同一であれば貯蔵媒体に貯蔵されたキャプスタンモータ周波数発生器の出力パルス数と検出されたキャプスタンモータ周波数発生器の出力パルス数を加算し、前記キャプスタンモータの現在の回転方向が初期の回転方向と相異すると貯蔵媒体に貯蔵されたキャプスタンモータ周波数発生器の出力パルス数から検出されたキャプスタンモータ周波数発生器の出力パルス数を減算する第２段階とよりなることが好ましい。
【００１４】
また、前述の第３過程は、リールが１回転する間前述の第１及び第２過程を反復実行して、リールが１回転した時貯蔵されてキャプスタンモータ周波数発生器の出力パルス数を前記貯蔵媒体から検出する段階及び貯蔵媒体から検出されたキャプスタンモータ周波数発生器の出力パルス数を用いて磁気テープの現在位置を検出する第４段階とよりなることが好ましい。
【００１５】
【発明の実施の形態】
以下、本発明による不連続走行時の磁気テープの位置感知方法の好ましい実施例について添付図面を参照して詳細に説明する。
図３は、本発明による不連続走行時の磁気テープの位置感知方法を実行するためのビデオカセットレコーダーの概略的ブロック図を示す。図３中、磁気テープを所定の速度として移送させるキャプスタンモータ４と、キャプスタンモータ４の回転動作を制御するサーボ系５と、キャプスタンモータ４の回転動作によって所定値を持つパルス信号を発生するＣＦＧ６と、リールの回転状態を感知するリール感知部７及びサーボ系５にサーボ制御データとクロック信号を出力すると共にリール感知部７とＣＦＧ６を通してリールの１回転当たりのＣＦＧパルス数を検出して磁気テープの現在の位置を感知するマイクロプロセッサ８とで構成されている。ここで、マイクロプロセッサ８にはリールの１回転当たりのＣＦＧパルス数データによる磁気テープの現在の位置データが貯蔵されて、その内部には通常の貯蔵媒体が具備されていると仮定する。
【００１６】
前述のような構成を持つ本発明の動作について図４を参照して説明する。本発明によると、リールが１回転する間ＣＦＧパルス数を所定個数単位で検出して、貯蔵されたＣＦＧパルス数と検出された所定個数のＣＦＧパルス数をキャプスタンモータの回転方向によって加減する計算過程を反復実行することにより、不連続再生時にもリールが１回転する間のＣＦＧパルス数を計算できる。
【００１７】
即ち、マイクロプロセッサ８は、リール感知部７を通してリールの現在位置を検出してリールの回転量を零に初期化させて（Ｓ１），ＣＦＧパルス数を零に初期化した後、リールの現在位置と初期化されたＣＦＧパルス数をマイクロプロセッサ８内に装着された貯蔵媒体（図示せず）に貯蔵する（Ｓ２）。
以後、マイクロプロセッサ８は、ＣＦＧ６を制御して所定個数のＣＦＧパルスを検出した後（Ｓ３），サーボ系５を制御してキャプスタンモータ４の回転方向が正方向であるかをチェックする（Ｓ４）。この段階（Ｓ４）でキャプスタンモータ４の回転方向が正方向（任意の方向に設定しても関係ないし、初期にキャプスタンモータが回転される方向と同一な方向）であると判断されると、マイクロプロセッサ８はリール感知部７により感知されたリールの回転変化量と貯蔵媒体に貯蔵されたリールの回転量を加算してリールの新しい回転量に代替すると共に、貯蔵媒体に貯蔵されたＣＦＧパルス数とＣＦＧ６により検出されたＣＦＧパルス数を加算して新しいＣＦＧパルス数に代替する（Ｓ５）。
【００１８】
もし、前述の段階（Ｓ４）でキャプスタンモータの回転方向が逆方向（前述の任意の方向について反対方向を意味し、初期にキャプスタンモータが回転される方向と反対方向）であると判断されると、マイクロプロセッサ８は貯蔵媒体（図示せず）に貯蔵されたリールの回転量からリール感知部７により感知されたリールの回転変化量を減算してリールの新しい現在位置に代替すると共に、貯蔵媒体に貯蔵されたＣＦＧパルス数からＣＦＧ６を通して検出されたＣＦＧパルス数を減算して新しいＣＦＧパルス数に代替する（Ｓ６）。
【００１９】
以後、マイクロプロセッサ８は、前述の段階（Ｓ５，Ｓ６）により計算されたリールの回転量とＣＦＧパルス数を貯蔵媒体に貯蔵した後（Ｓ７），貯蔵媒体に貯蔵されたリールの回転量が１回転であるかをチェックして（Ｓ８），リールが１回転しなかったと判断されると前述の段階（Ｓ３）に帰還して段階（Ｓ３）以後の全ての過程を反復実行する。
【００２０】
もし、前述の段階（Ｓ８）でリールが１回転したと判断されると、貯蔵媒体に貯蔵されたＣＦＧパルス数を利用して磁気テープの現在の位置を計算した後（Ｓ９），前述の全ての過程を終了する。
【００２１】
【発明の効果】
前述のように本発明による不連続走行時の磁気テープの位置感知方法によると、変化されたＣＦＧパルス数を貯蔵されたＣＦＧパルス数に加減して計算することにより、リールが１回転する前にモードが変化する不連続モードにおいても磁気テープの現在の位置を正確に感知できる利点がある。
【００２２】
また、不連続モードでも磁気テープの現在の位置を感知できるため、磁気テープがエンド部分に到達することによってリールモータの回転速度を減速できるようになり磁気テープの伸張及び断絶を防止することが可能と共に、磁気テープの寿命を延長できる利点がある。
【図面の簡単な説明】
【図１】センサを用いて磁気テープのスタート／エンド部分を感知するようにした従来のビデオカセットレコーダーの概略的構造図である。
【図２】通常のホームビデオシステム（ＶＨＳ）規格を持つ磁気テープの概略的構造図である。
【図３】本発明による不連続走行時の磁気テープの位置感知方法を実行するためのビデオカセットレコーダーの概略的ブロック図である。
【図４】図３に図示されたマイクロプロセッサのフローチャートである。
【符号の説明】
４  キャプスタンモータ
５  サーボ系
６  キャプスタンモータの周波数発生器
７  リール感知部
８  マイクロプロセッサ
【図１】
0003746850.tif 000002
【図２】
0003746850.tif 000003
【図３】
0003746850.tif 000004
【図４】
0003746850.tif 000005